(57)【要約】【課題】従来の画像読取装置では、ユーザの都合で、読み取った一連の原稿の画像データから、複数のファイルを作成したいという場合、ユーザは、事前に原稿を分割した上で、複数回の読み取りを行うのが一般的であるが、手間がかかるという課題があった。【解決手段】一連の原稿を読み取り、頁単位の画像データを生成する読取部１１と、画像データのサムネイルを生成するサムネイル生成部１２と、画像データの１つ以上を選択する区切り位置指定部１６と、選択された画像データを集合してファイル化するファイル生成部１７と、ファイルのサイズを計算するファイルサイズ計算部１４と、サムネイル、選択状態、及びファイルサイズを表わす表示部１５と、決定ボタン５５とを有し、決定ボタン５５により選択が決定されたときに、ファイル生成部１７が、区切り位置指定部１６によって選択された画像データをファイル化する。【選択図】図１
2014192606.tif 000002
【特許請求の範囲】
【請求項１】
一連の原稿を読み取り、頁単位の画像データを生成する画像読取手段と、
前記画像データのサムネイルを生成するサムネイル生成手段と、
前記画像データの１つ以上を選択する画像選択手段と、
前記選択された１つ以上の画像データを集合してファイル化するファイル生成手段と、
前記ファイル生成手段により生成されるファイルのサイズを計算するファイルサイズ計算手段と、
前記サムネイル、前記画像選択手段による選択状態、及び前記計算されたファイルサイズを表わす表示手段と、
前記選択を決定する決定手段と
を有し、
前記決定手段により前記選択が決定されたときに、前記ファイル生成手段が、前記画像選択手段によって選択された前記画像データをファイル化することを特徴とする画像読取装置。
【請求項２】
前記表示手段は、個々の画像データをそれぞれサムネイルで表示し、
前記画像選択手段は、１つ以上の連続したサムネイルの区切り位置を指定することによって選択することを特徴とする請求項１記載の画像読取装置。
【請求項３】
前記画像読取手段による前記一連の原稿の読み取りが終了した段階で、最後に読み取った頁の前記サムネイルに対応して前記区切り位置が指定されることを特徴とする請求項２記載の画像読取装置。
【請求項４】
前記表示手段は、前記画像データの区切り位置に、区切られた画像データのファイルサイズを表示することを特徴とする請求項２又は３記載の画像読取装置。
【請求項５】
前記ファイルサイズが所定値を超える場合、所定値以下の場合と識別可能に表示することを特徴とする請求項４記載の画像読取装置。
【請求項６】
前記表示手段は、読み取った順に連続して配置される各サムネイルに対応して、設定された区切り位置からの画像データのファイルサイズを表示することを特徴とする請求項２乃至４の何れかに記載の画像読取装置。
【請求項７】
前記画像選択手段は、前記ファイル生成手段によって生成されるファイルから削除したい画像データを指定し、
前記表示手段は、指定された画像データのサムネイルを識別可能に表示し、
前記ファイル生成手段は、前記指定された画像データを除いてファイル化することを特徴とする請求項２記載の画像読取装置。
【請求項８】
前記画像データの区切り位置に、前記指定された画像データを除いて、区切られた画像データのファイルサイズを表示することを特徴とする請求項７記載の画像読取装置。
【請求項９】
前記画像データ、前記サムネイル、及び前記画像の区切り位置を保存する記憶手段を備えたことを特徴とする請求項１乃至８の何れかに記載の画像読取装置。
【請求項１０】
前記ファイル生成手段によってファイル化されたファイルが複数の場合、ファイル名に連番を付すことを特徴とする請求項１乃至９の何れかに記載の画像読取装置。
【請求項１１】
前記最後に読み取った頁の前記サムネイルに対応して指定される前記区切り位置の指定を解除可能としたことを特徴とする請求項３記載の画像読取装置。
【請求項１２】
前記ファイルサイズが所定値を超える場合、前記決定手段による前記選択の決定を不可とすることを特徴とする請求項４記載の画像読取装置。
【発明の詳細な説明】
【技術分野】
【０００１】
本発明は、画像読取装置に関し、特に一連の原稿を読み取って画像データを生成し、更に画像データからファイルを生成する画像読取装置に関するものである。
【背景技術】
【０００２】
従来のこの種の画像読取装置として、例えば、読み取った一連の原稿の画像データからファイルを生成し、生成したファイルを電子メールに添付して、所定の宛先に送信するものがあり、ファイルの生成に関しては、読み取った一連の原稿の画像データから一個のファイルを生成するのが一般的であった（例えば、特許文献１参照）。
【先行技術文献】
【特許文献】
【０００３】
【特許文献１】特開２０１０−１１４７１５号公報（第７〜８頁、図４）
【発明の概要】
【発明が解決しようとする課題】
【０００４】
しかしながら、ユーザの都合で、読み取った一連の原稿の画像データから１つのファイルを生成するのではなく、例えば、原稿の章立て毎にファイルを生成する場合など、読み取った一連の原稿の画像データから複数のファイルを作成したいという場合がある。
このような場合、ユーザは、事前に原稿を分割した上で、複数回の読み取りを行うのが一般的であるが、手間がかかるという課題があった。
【０００５】
また、一度に多量の頁の原稿を読み取ると、生成されるファイルのサイズが大きくなり、電子メールに添付できるファイルサイズの制限等によっては、送信できない場合が発生する。このような場合に対して、所定のファイルサイズやファイル数でファイルを分割する方法が知られているが、ユーザにとって意味のある分割ができないという課題があった。
【課題を解決するための手段】
【０００６】
本発明による画像読取装置は、
一連の原稿を読み取り、頁単位の画像データを生成する画像読取手段と、前記画像データのサムネイルを生成するサムネイル生成手段と、前記画像データの１つ以上を選択する画像選択手段と、前記選択された１つ以上の画像データを集合してファイル化するファイル生成手段と、前記ファイル生成手段により生成されるファイルのサイズを計算するファイルサイズ計算手段と、前記サムネイル、前記画像選択手段による選択状態、及び前記計算されたファイルサイズを表わす表示手段と、前記選択を決定する決定手段とを有し、
前記決定手段により前記選択が決定されたときに、前記ファイル生成手段が、前記画像選択手段によって選択された前記画像データをファイル化することを特徴とする。
【発明の効果】
【０００７】
本発明によれば、読み取った画像データをファイル化する際に、ファイルのサイズを確認しながら、ユーザの望む形で複数個のファイルに分けることができる。
【図面の簡単な説明】
【０００８】
【図１】本発明に基づく実施の形態１の画像読取装置の機能ブロック構成を示すブロック図である。
【図２】実施の形態１において、画像読取装置が行う、原稿の読み取りからファイルの送信までの動作の流れを示すフローチャートである。
【図３】実施の形態１において、分割ファイルを生成するための、区切り位置の指定からファイルの生成までの処理の流れを示すフローチャートである。
【図４】実施の形態１において、ファイルサイズ（１５ＭＢ）が上限値（１２ＭＢ）を超えた場合において、読み取り完了後に最初に表示される画面の表示例を示す。
【図５】実施の形態１において、ファイルサイズが上限値未満になるように、図４の状態から、ユーザが区切り位置を指定した時の画面の表示例である。
【図６】実施の形態１において、ステップＳ３０３〜ステップＳ３０５のループによるユーザの指定が終了して、決定ボタンが押される直前の画面の表示例を示している。
【図７】実施の形態１において、読取完了後に表示される画面の表示の変形例の説明に供する図である。
【図８】実施の形態１において、読取完了後に表示される画面の表示の変形例の説明に供する図である。
【図９】本発明に基づく実施の形態２の画像読取装置の機能ブロック構成を示すブロック図である。
【図１０】実施の形態２で、分割ファイルを生成するための、区切り位置の指定及びファイル化から除外する不要頁の指定からファイルの生成までの処理の流れを示すフローチャートである。
【図１１】実施の形態２で、ユーザが、区切り位置及び削除する頁を指定した時の画面の表示例である。
【発明を実施するための形態】
【０００９】
実施の形態１．
図１は、本発明に基づく実施の形態１の画像読取装置１０の機能ブロック構成を示すブロック図である。
【００１０】
図１において、ネットワーク４０を介して、メールサーバ３０と接続されている画像読取装置１０は、読取部１１、サムネイル生成部１２、記憶部１３、ファイルサイズ計算部１４、表示部１５、区切り位置指定部１６、ファイル生成部１７、通信部１８、及び各部を接続する内部バス１９等を備え、後述する種々の動作を実行する。
【００１１】
画像読取手段としての読取部１１は、ユーザが用意した一連の複数頁からなる原稿を読み取って頁単位で画像データを生成し、サムネイル生成手段としてのサムネイル生成部１２は、読取部１１によって読み取った１ページ分の画像データを縮小表示した画像（以下、サムネイルと称す）を生成する。記憶部１３は、ＲＡＭやハードディスクといった読み書き可能な記憶デバイスなどから構成され、画像データ、サムネイルといった情報を保持する。
【００１２】
ファイルサイズ計算手段としてのファイルサイズ計算部１４は、指定された画像データから生成するファイルのサイズを、このファイルに関する設定、例えばファイルフォーマット（ＰＤＦ、ＸＰＳ等）、解像度（ＤＰＩ）、及び圧縮率等に基づいて算出する。尚、ファイルサイズは、実際にファイルを生成して求めることが望ましいが、計算式などにより簡易的に計算して求めることも可能である。
【００１３】
表示手段としての表示部１５は、液晶表示パネル等の表示デバイスで構成され、ユーザに対して、サムネイル、区切り位置、ファイルサイズ等を表示し、画像選択手段としての区切り位置指定部１６は、表示部１５上に配置され、ユーザからの入力を受け付けることができるタッチパネルなどから構成され、ユーザの操作により、表示部１５上に表示された一連のサムネイルを確認しながら、ファイルを生成する際の区切りとする位置を指定する。
【００１４】
ファイル生成手段としてのファイル生成部１７は、ユーザが指定した区切り位置に従って、生成するファイルに関する設定、例えばファイルフォーマット（ＰＤＦ、ＸＰＳ等）、解像度（ＤＰＩ）、及び圧縮率等に基づいて一連の画像データからファイルを生成する。
【００１５】
通信部１８は、ファイルを送信する電子メールに関する設定、例えば、送信先の宛先、添付するファイルのファイル命名規則、及び１電子メールに添付できるファイルのサイズの上限値等に基づき、ファイルを添付した電子メールを作成し、ネットワーク４０に接続されたメールサーバ３０に送信する。
【００１６】
以上の構成において、画像読取装置１０の動作について説明する。図２は、画像読取装置１０が行う、原稿の読み取りからファイルの送信までの動作の流れを示すフローチャートである。このフローチャートに基づいて、図１を参照しながら画像読取装置１０の動作について説明する。
【００１７】
最初に、ユーザによって、読み取った画像データから生成するファイルに関する設定、及び生成されたファイルを送信する電子メールに関する設定を行う（ステップＳ１０１）。生成するファイルに関する設定には、ファイルフォーマット（ＰＤＦ，ＸＰＳ等）、解像度（ＤＰＩ）、及び圧縮率等があり、送信する電子メールに関する設定には、送信先の宛先、添付するファイルのファイル命名規則、１電子メールに添付できるファイルのサイズの上限値等がある。尚、これらの設定は、読み取りの都度に行う必要は無く、事前に設定しておいた既定値を使用することもできる。
【００１８】
各種設定に続いて、ユーザは、一連の原稿を自動給紙装置（ＡＤＦ）等にセットし、画像読取装置１０に読み取りを指示し（ステップＳ１０２）、画像読取装置１０は、読取部１１で１頁分の原稿を読み取り、画像データを生成する（ステップＳ１０３）。続いて画像読取装置１０は、生成した１頁分の画像データのサムネイルをサムネイル生成部１２にて作成し、１頁分の画像データとサムネイルを記憶部１３に保存する（ステップＳ１０４）。
【００１９】
その後、画像読取装置１０は、以後の動作に支障をきたすほどに、記憶部１３の残りの容量が少なくなったかを確認し（ステップＳ１０５）、少なくなったと判断した場合（ステップＳ１０５、Ｙｅｓ）、読取部１１による原稿の読み取りを中断する（ステップＳ１０６）。
【００２０】
続いて画像読取装置１０は、ファイル分割に必要な情報を表示部１５に表示し、区切り位置指定部１６を介したユーザの指示によって指定される区切り位置に基づいて１つ以上のファイルを生成する（ステップＳ１０７）。尚、このステップＳ１０７の処理については後で詳しく説明する。
【００２１】
続いて画像読取装置１０は、通信部１８によって、生成されたファイル毎に電子メールを生成し、対応するファイルを電子メールに添付して指定された宛先に送信する（ステップＳ１０８）。尚、複数のファイルが生成されて複数の電子メールを送信する場合、各電子メールに添付されるファイルのファイル名は、既定のファイル名の後ろに連番を付与する等、受信側にて、ファイルを生成した順が識別できるようにする。
【００２２】
続いて、画像読取装置１０は、ファイル生成済みの画像データとサムネイルとを記憶部１３から削除する（ステップＳ１０９）。尚、ファイル生成されなかった画像データとサムネイルは、後述するように次の分割ファイル生成の処理時に使うため、記憶部１３に保持しておく。続いて画像読取装置１０は、読取部１１によって次のページの読み取りを再開し（ステップＳ１１０）、ステップＳ１０３に戻り、以後同様の処理を繰り返す。
【００２３】
一方ステップＳ１０５において、画像読取装置１０は、記憶部１３の残りの容量に問題が無いと判断した場合（ステップＳ１０５、Ｎｏ）、先ず全ての原稿を読み取ったか否かを確認する（ステップＳ１１１）。ここで、まだ原稿が存在する場合（ステップＳ１１１、Ｙｅｓ）、ステップＳ１０３に戻って、以後同様の処理を繰り返し、一方、全ての原稿を読み取った場合（ステップＳ１１１、Ｎｏ）、画像読取装置１０は、分割ファイル生成の処理を実行する（ステップＳ１１２）。ここでの分割ファイル生成の処理は、ステップＳ１０７における処理と略同じであり、後で詳しく説明する。
【００２４】
続いて、画像読取装置１０は、通信部１８によって、生成されたファイル毎に電子メールを生成し、対応するファイルを電子メールに添付して指定された宛先に送信し（ステップＳ１１３）、ファイル生成済みの画像データとサムネイルとを記憶部１３から削除し（ステップＳ１１４）、処理を終了する。
【００２５】
従って、画像読取装置１０は、図２のフローのステップＳ１０３〜Ｓ１０５、Ｓ１１１のループによって、１頁毎の、読込、画像データ及びサムネイルの生成、保存を繰り返す過程で、記憶部１３の残り容量が不足した場合にはステップＳ１０７で分割ファイル生成の処理を行ってメール送信を行った後、ステップＳ１０９で記憶部１３の残り容量を復活させて、前記ループに戻って同様の処理を繰り返し、読込原稿がなくなった段階で、ステップＳ１１２で分割ファイル生成の処理を行って、メール送信を行った後、ステップＳ１１１４で記憶部１３の残り容量を復活させて処理を終了する。
【００２６】
次に、分割ファイルを生成するステップＳ１０７及びステップＳ１１２の処理内容について説明する。図３は、この分割ファイルを生成するための、区切り位置の指定からファイルの生成までの処理の流れを示すフローチャートであり、図４〜図８は、その説明に供する図である。
【００２７】
図３のフローチャートにおいて、画像読取装置１０は、先ずファイルサイズ計算部１４において、記憶部１３に保存されている全ての画像データに対して、事前に指定された生成するファイルに関する設定、例えば、ファイルフォーマット（ＰＤＦ，ＸＰＳ等）、解像度（ＤＰＩ）、及び圧縮率等に基づき、ファイルサイズを計算する（ステップＳ３０１）。
【００２８】
次に画像読取装置１０は、計算されたファイルサイズが、１電子メールに添付できるファイルのサイズの上限値以上か否を確認し（ステップＳ３０２）、ファイルサイズが上限値未満の場合（ステップＳ３０２、Ｎｏ）、ファイルを分割するか否かをユーザに確認する（ステップＳ３０６）。ここでユーザが分割を希望しない場合（ステップＳ３０６、Ｎｏ）、後述するように、まだ指定された有効な区切り位置が存在しない為、最後の頁の後ろを区切り位置と見なして、全ての画像データによって１個のファイルを生成し（ステップＳ３０７）、処理を終了する。
【００２９】
一方、ファイルサイズが上限値以上の場合（ステップＳ３０２、Ｙｅｓ）又はステップＳ３０６でユーザが分割を希望した場合（ステップＳ３０６、Ｙｅｓ）、画像読取装置１０は、後述するように、表示部１５に一連のサムネイル、区切り位置、及び区切り位置でファイルを分割した場合に生成されるファイルのファイルサイズ等を表示する（ステップＳ３０３）。
【００３０】
ここで、表示部１５での表示に関しての表示概要について説明する。
（１）ファイルサイズの表示において、ファイルサイズが上限値以上の場合、ユーザが上限値以上であることが分かるように、文字を反転表示するなどし、且つユーザがファイルの生成を指示できないようにする。
（２）表示デバイスのサイズを考慮し、一度に一部の頁のサムネイルのみを表示し、スクロール機能を使って、前後の頁のサムネイルを表示させる。
（３）最初に表示するときの区切り位置は、最後のサムネイルの後ろとする（つまり、全ての画像データから１ファイルを生成する指定に相当する状態）。
尚、これらの表示概要については、あとでまた詳しく説明する。
【００３１】
次に画像読取装置１０は、ユーザによる入力を確認し（ステップＳ３０４）、ユーザが、区切り位置指定部１６によって、いずれかの区切り位置を指定した場合（ステップＳ３０４、指定）、後述するように、区切り位置にてファイルを分割した場合に生成される各ファイルのファイルサイズを計算し（ステップＳ３０５）、ステップＳ３０３に戻って表示内容を更新し、同様の動作を繰り返す。
【００３２】
一方、ユーザがファイルの生成を指示した場合（ステップＳ３０４、生成）、画像読取装置１０は、ファイル生成部１７にて、指定された区切り位置に従って１個以上のファイルを生成し（ステップＳ３０７）、処理を終了する。但し、ここでも、ファイルサイズが上限値以上の場合には、ファイル生成の指示ができない、即ちステップＳ３０４からステップＳ３０７に進めないようになっている。
【００３３】
次に上記したフローによって表示される画面の表示例（図４〜図８）を参照しながら、画像読取装置１０の具体的な動作例について更に説明する。尚、ここでの例では、メールに添付できるファイルサイズの上限値を１２ＭＢとし、全ての画像データから１個のファイルを生成した場合のファイルサイズは１５ＭＢであるとする。
【００３４】
図４は、ファイルサイズ（１５ＭＢ）が上限値（１２ＭＢ）を超えた場合において、読み取り完了後に最初に表示される画面の表示例である。図３のフローチャートでは、（ステップＳ３０２、Ｙｅｓ）を経由してステップＳ３０３に至った段階を示している。尚、図４のタッチパネル式ディスプレイ（以下、単にタッチパネルと称す）５０は、表示部１５のディスプレイ機能と、区切り位置指定部１６のタッチパネル機能を備えている。
【００３５】
ここで、タッチパネル５０による表示の仕様について説明する。
（１）このタッチパネル５０には、複数（ここでは４個）のサムネイル５１ｋ〜５１ｎ（区別する必要が無い場合には単に５１を付す）を表示し、直近に読み取った４頁分を、左側から右側に、読み取った順番に表示する。
（２）各サムネイルの間、及び最後のサムネイルの後ろには、サムネイル５１ｋ〜５１ｎにそれぞれ対応する区切り位置指定ボタン５３ｋ〜５３ｎ（区別する必要が無い場合には単に５３を付す）を表示する。
（３）ここでの区切り位置指定ボタン５３は、トグルボタン、即ちボタンを押すごとに有効／無効が切り替わる四角いボタンであり、ボタンが有効状態のときが区切り（ファイルの分割）位置となる。尚、ここでは黒ぬり状態が有効状態を示し、白ぬり状態が無効状態を示す。また有効状態の区切り位置指定ボタン５３の位置情報は記憶部１３によって保持される。
（４）図４に示す読取完了直後の区切り位置は、前記した表示概要（３）に従って、最後のサムネイル５１ｎの後の区切り位置ボタン５３ｎに設定される。
（５）前後する有効な２つの区切り位置間に存在する頁が、１つのファイルを構成する。但し、前に有効な区切り位置が存在しない場合は、最初の頁からその区切り位置間までに存在する頁が、１つのファイルを構成する。
（６）前記した表示概要（２）に従って、スクロールボタン５２ａ、５２ｂにて、現在位置の前または後のサムネイルを表示することができる。但し、前または後に頁が存在しない場合は、スクロールボタンは無効となる。図４の例では、サムネイル５１ｎが最後の頁なので、右側のスクロールボタン５２ｂ（白塗り状態の三角矢印を含む）が無効である。
（７）区切り位置指定ボタン５３が有効状態のとき、そのボタンの下には、この区切り位置でファイルを生成した場合のファイルサイズ文字５４ｎ（図４の例では１５ＭＢ）を表示する。
（８）前記した表示概要（１）に従って、ファイルサイズが上限値以上の場合にその文字５４を反転表示することでユーザに示す。図４の例では、ファイルサイズ１５ＭＢが、上限値１２ＭＢ以上なので、ファイルサイズ文字５４ｎを反転表示している。
（９）前記した表示概要（１）に従って、図４の例では、有効状態の区切り位置指定ボタン５３ｎでのファイルサイズ１５ＭＢが上限値以上なので、決定手段としての決定ボタン５５を無効（黒塗り状態）として、ユーザがファイルの生成を指示できないようにする。
【００３６】
図５は、ファイルサイズが上限値未満になるように、例えば図４の状態から、ユーザが区切り位置を指定した時の画面の表示例である。ここではユーザが、区切り位置指定ボタン５３ｋを有効、即ちこの場所を区切り位置に指定し、区切り位置が２ヶ所（５３ｋと５０ｎ）となっている。区切り位置指定が変更になると、ファイルサイズ計算部１４がファイルサイズを計算し直し、有効な区切り位置指定ボタンの下部に、ファイルサイズ文字（ここでは５４ｋ（１０ＭＢ）及び５４ｎ（５ＭＢ））を表示する。尚ここでの動作は、図３のフローのステップＳ３０３〜Ｓ３０５の繰り返し処理、及び上記表示仕様（７）に基づいている。
【００３７】
その結果、何れのファイルサイズも上限値（ここでは１２ＭＢ）未満なので、ファイルサイズ文字は通常表示（非反転表示）となり、決定ボタン５５も有効となる。尚、決定ボタン５５は、ここではタッチパネル式ディスプレイ５０に表示して備えたが、タッチパネル５０に設ける代りに、例えば有効の時に自照する自照式のトグルスイッチで構成してもよい。
【００３８】
ここでユーザが決定ボタン５５を押すと、画像読取装置１０は、図３のフローのステップＳ３０４の判断に従って、ファイル生成部１７によってファイルを生成する。即ち、ファイル生成部１７は、ここでは、有効状態の区切り位置指定ボタン５３ｋ及び５３ｎが指定する区切り位置に従って、最初からサムネイル５１ｋまでの１ファイル（サイズは１０ＭＢ）と、サムネイル５１ｌからサムネイル５１ｎまでの１ファイル（サイズは５ＭＢ）の合計２ファイルを生成する。
【００３９】
以上の説明は、分割ファイルを生成するステップＳ１０７及びステップＳ１１２の処理に共通する説明であるが、記憶容量が不足して読み取る原稿が残っているステップＳ１０７の処理の場合、更に最後の区切り位置５３ｎを無効にできるようになっている。
【００４０】
図６は、ステップＳ１０７において、ステップＳ３０３〜ステップＳ３０５のループによるユーザの指定が終了して、決定ボタン５５が押される直前の画面の表示例を示している。同図に示すように、ここでは有効状態になっていた区切り位置指定ボタン５３ｎがユーザによって解除されて無効状態にされている。
【００４１】
この状態でユーザが決定ボタン５５を押すと、ファイル生成部１７は、ここでは、ユーザが指定した有効状態の区切り位置指定ボタン５３ｋが指定する区切り位置に従って、最初から５１ｋまでの１ファイル（サイズは１０ＭＢ）のファイルを生成し、区切り位置指定ボタン５３ｋ以降の頁は、ファイル生成では使われない為、画像データとサムネイルは記憶部１３から削除されず、次のファイル生成で使われる。このように、区切り位置指定ボタン５３ｎを無効とすることにより、区切り位置指定ボタン５３ｋ以降の頁を、次のファイル生成時の頁と組み合わせてファイル生成することができる。
【００４２】
図７、図８は、読取完了後に表示される画面の表示の変形例を示し、読み取り完了後の図４に示す表示状態から、ユーザがスクロールボタン５２ａを押して、表示頁領域を１頁分前に移動した状態に相当する。
【００４３】
ここでは、ガイド表示部５６が設けられ、各区切り位置指定ボタン５３に対応して、前の有効な区切り位置（ここでは最初の頁）からの各位置までのファイルサイズを表示する。これにより、ユーザは、適切な区切り位置を事前に確認することができる。図８は、ユーザが区切り位置指定ボタン５３ｋを有効な区切り位置として指定した場合を示している。このとき、ガイド表示部５６では、区切り位置指定ボタン５３ｋが指定する区切り位置から算出したファイルサイズを、各区切り位置指定ボタン５３に対応して再表示する。
【００４４】
以上のように、本実施の形態の画像読取装置１０によれば、一連の原稿読み取りに関連して、ユーザがサムネイルを見ながら区切り位置を指定し、また、区切り位置でファイルを分割した時に生成される各ファイルのサイズを確認しながら、ユーザの望む形で複数個のファイルを生成することができ、利便性を向上できる。
また、ファイルサイズの上限値を超えた場合のファイル分割においても、ファイルサイズやファイル数で機械的に分割するのではなく、ユーザが望む場所で分割ができ、利便性を向上できる。
【００４５】
実施の形態２．
図９は、本発明に基づく実施の形態２の画像読取装置２１０の機能ブロック構成を示すブロック図である。
【００４６】
この画像読取装置２１０が、前記した図１に示す実施の形態１の画像読取装置１０と主に異なる点は、区切り位置指定＆原稿指定部２１６及びファイル生成部２１７の動作内容である。従って、この画像読取装置２１０が前記した実施の形態１の画像読取装置１０と共通する部分には同符号を付して、或いは図面を省いて説明を省略し、異なる点を重点的に説明する。
【００４７】
画像選択手段としての区切り位置指定＆原稿指定部２１６は、表示部１５上に配置され、ユーザからの入力を受け付けることができるタッチパネルなどから構成され、ユーザの操作により、表示部１５上に表示された一連のサムネイルを確認しながら、ファイルを生成する際の区切りとする位置、及びファイル生成から除外する不要な頁を指定する。
【００４８】
ファイル生成手段としてのファイル生成部２１７は、ユーザが指定した、区切り位置及びファイル生成から除外する不要な頁に従って、生成するファイルに関する設定、例えば、ファイルフォーマット、解像度、及び圧縮率等に基づいて一連の画像データからファイルを生成する。
【００４９】
以上の構成において、画像読取装置２１０の動作について説明する。尚、画像読取装置２１０が行う、原稿の読み取りからファイルの送信まで一連の動作は、ステップＳ１０７及びステップＳ１１２の分割ファイル生成処理以外、図２で説明した実施の形態１で説明した処理と同じであるため、同じ部分のここでの説明は省略する。
【００５０】
図１０は、本実施の形態で、分割ファイルを生成するための、区切り位置の指定及びファイル化から除外する不要頁の指定からファイルの生成までの処理の流れを示すフローチャートであり、図１１は、その説明に供する図である。
【００５１】
図１０のフローチャートにおいて、画像読取装置２１０は、先ずファイルサイズ計算部１４において、記憶部１３に保存されている全ての画像データに対して、事前に指定された生成するファイルに関する設定、例えは、ファイルフォーマット（ＰＤＦ，ＸＰＳ等）、解像度（ＤＰＩ）、及び圧縮率等に基づき、ファイルサイズを計算する（ステップＳ５０１）。
【００５２】
次に画像読取装置２１０は、計算されたファイルサイズが、１電子メールに添付できるファイルのサイズの上限値以上か否を確認し（ステップＳ５０２）、ファイルサイズが上限値未満の場合（ステップＳ５０２、Ｎｏ）、ファイルを分割するか否かをユーザに確認する（ステップＳ５０６）。ここでユーザが分割を希望しない場合（ステップＳ５０６、Ｎｏ）、まだ指定された有効な区切り位置が存在しない為、最後の頁の後ろを区切り位置と見なして、全ての画像データによって１個のファイルを生成し（ステップＳ５０７）、処理を終了する。
【００５３】
一方、ファイルサイズが上限値以上の場合（ステップＳ５０２、Ｙｅｓ）又はステップＳ５０６でユーザが分割を希望した場合（ステップＳ５０６、Ｙｅｓ）、画像読取装置２１０は、表示部１５に一連のサムネイル、区切り位置、及び区切り位置でファイルを分割した場合に生成される、ファイルの不要な頁を除外したファイルサイズを表示する（ステップＳ５０３）。
【００５４】
次に画像読取装置２１０は、ユーザによる入力を確認し（ステップＳ５０４）、ユーザが、区切り位置指定＆原稿指定部２１６によって、いずれかの区切り位置を指定した場合、又は削除する頁を指定（ここでは該当する頁のサムネイルを押下して指定）した場合（ステップＳ５０４、指定）、区切り位置にてファイルを分割した場合に生成される各ファイルのファイルサイズを、削除指定した頁を除外して計算し（ステップＳ５０５）、ステップＳ５０３に戻って表示内容を更新し、同様の動作を繰り返す。
【００５５】
一方、ユーザがファイルの生成を指示した場合（ステップＳ５０４、生成）、画像読取装置２１０は、ファイル生成部２１７にて、指定された区切り位置に従って、且つ削除指定された頁を除いて１個以上のファイルを生成し（ステップＳ５０７）、処理を終了する。但し、ここでも、ファイルサイズが上限値以上の場合には、ファイル生成の指示ができない、即ちステップＳ５０４からステップＳ５０７に進めないようになっている。
【００５６】
次に上記したフローによって表示される画面の表示例（図１１）を参照しながら画像読取装置２１０の具体的な動作例について、実施の形態１で説明した図５の表示例と比較しながら更に説明する。尚、ここでのタッチパネル５０による表示の仕様は、前記した実施の形態１で記述した（１）〜（９）を満たすものであるが、更にユーザが削除する頁として該当するサムネイルを押下した際に、そのサムネイルが、有効状態を示す黒塗り表示される点が追加されている。
【００５７】
図１１は、ユーザが、区切り位置及び削除する頁を指定した時の画面の表示例である。ここでユーザは、実施の形態１の図５に示す操作例と同様に、区切り位置指定ボタン５３ｋを有効、即ちこの場所を区切り位置に指定し、更に削除する頁としてサムネイル５１ｍに対応する頁を指定している。
【００５８】
従って、図１１の表示例では、サムネイル５１ｍが削除する頁として黒塗り表示され、有効な区切り位置指定ボタンの下部に、ファイルサイズ文字（ここでは５４ｋ（１０ＭＢ）及び５４ｎ（４ＭＢ））を表示する。ここでは、削除したサムネイル５１ｍの頁のサイズが１ＭＢであるため、ファイルサイズ文字５４ｎでは、前記した図５に比較して１ＭＢだけ引かれたファイルサイズ４ＭＢが表示される。
【００５９】
ここでユーザが決定ボタン５５を押すと、画像読取装置２１０は、図１０のフローのステップＳ５０４の判断に従って、ファイル生成部２１７によってファイルを生成する。即ち、ファイル生成部２１７は、ここでは、有効状態の区切り位置指定ボタン５３ｋ及び５３ｎが指定する区切り位置に従って、最初からサムネイル５１ｋまでの１ファイル（サイズは１０ＭＢ）と、サムネイル５１ｍを除くサムネイル５１ｌからサムネイル５１ｎまでの１ファイル（サイズは４ＭＢ）の合計２ファイルを生成する。
【００６０】
尚、上記した実施の形態では、画像読取装置が読み取った画像を、電子メールに添付してメールサーバへ送信する例を示しているが、これに限定されるものではなく、本発明は、ファイル共有やＷｅｂサービス等の通信機能を利用することによって、ＰＣやファイルサーバーへ保存することも可能であるなど、種々の態様を取り得るものである。
【００６１】
以上のように、前記した実施の形態１の効果に加えて、ユーザがサムネイルを見ながら、読み取った原稿の中からファイル生成に不要な頁を削除することができ、利便性が更に向上する。
【産業上の利用可能性】
【００６２】
上記した実施の形態では、画像読取装置として説明を行ったが、本発明は、これに限定されるものではなく、画像を読み取って送信する機能があれば良く、例えばファクシミリ装置、複写装置、ＭＦＰ（Ｍｕｌｔｉｆｕｎｃｔｉｏｎ  Ｐｅｒｉｐｈｅｒａｌ）等に適用可能である。
【符号の説明】
【００６３】
１０  画像読取装置、  １１  読取部、  １２  サムネイル生成部、  １３  記憶部、  １４  ファイルサイズ計算部、  １５  表示部、  １６  区切り位置指定部、  １７  ファイル生成部、  １８  通信部、  １９  内部バス、  ３０  メールサーバ、  ４０  ネットワーク、  ５０  タッチパネル、  ５１  サムネイル、  ５２ａ  スクロールボタン、  ５２ｂ  スクロールボタン、  ５３  区切り位置指定ボタン、  ５４  ファイルサイズ文字、  ５５  決定ボタン、  ５６  ガイド表示部、  ２１０  画像読取装置、  ２１６  区切り位置指定＆原稿指定部、  ２１７  ファイル生成部。
【図１】
2014192606.tif 000003
【図２】
2014192606.tif 000004
【図３】
2014192606.tif 000005
【図４】
2014192606.tif 000006
【図５】
2014192606.tif 000007
【図６】
2014192606.tif 000008
【図７】
2014192606.tif 000009
【図８】
2014192606.tif 000010
【図９】
2014192606.tif 000011
【図１０】
2014192606.tif 000012
【図１１】
2014192606.tif 000013